(57)【特許請求の範囲】
【請求項１】
床（１８）と床下面（１９）との間に区画される床下空間（５）を通して室内を空気調和する空気調和システムにおいて、
床（１８）に形成される開口（２０）と、
この開口（２０）に設けられ、床下空間（５）と室内とを連通する通気口を形成する吹出グリル（６）と、
この吹出グリル（６）の下方に設けられたドレンパン（７）と、
上記通気口を閉じることのできる通気口閉塞手段とを備え、
上記ドレンパン（７）が通気口閉塞手段を兼用し、
上記ドレンパン（７）は正立及び倒立から択一的に選択される状態で床下面（１９）に載置され、正立状態で通気口を開放し、倒立状態で通気口を閉塞することを特徴とする空気調和システム。
【請求項２】
床（１８）と床下面（１９）との間に区画される床下空間（５）を通して室内を空気調和する空気調和システムにおいて、
床（１８）に形成される開口（２０）と、
この開口（２０）に設けられ、床下空間（５）と室内とを連通する通気口を形成する吹出グリル（６）と、
この吹出グリル（６）の下方に設けられたドレンパン（７）と、
上記通気口を閉じることのできる通気口閉塞手段とを備え、
上記ドレンパン（７）が通気口閉塞手段を兼用し、
上記ドレンパン（７）は、内部を上下の第１および第２ドレン空間（８，９）に仕切る仕切り板（１０）を有し且つ床下面に正立及び倒立から択一的に選択される状態で載置される筒体（１１）からなり、
この筒体の周面には、第２ドレン空間（９）のみを筒体（１１）の外部に連通させる連通孔（１２）が形成されており、
筒体（１１）は倒立状態で第１ドレン空間（８）を仕切る筒体（１１）の部分および仕切り板（１０）によって通気口を閉塞し、正立状態で上記連通孔（１２）および第２ドレン空間（９）を介して通気口と床下空間（５）とを連通させることを特徴とする空気調和システム。
【請求項３】
上記ドレンパン（７）の高さを調整する手段（１６）を備える請求項２または３記載の空気調和システム。
【請求項４】
内部を上下の第１および第２ドレン空間（８，９）に仕切る仕切り板（１０）を有し且つ床下面に正立及び倒立から択一的に選択される状態で載置され得る筒体（１１）からなり、
この筒体の周面には、第２ドレン空間（９）のみを筒体（１１）の外部に連通させる連通孔（１２）が形成されていることを特徴とするドレンパン（７）。
【請求項５】
上記ドレンパン（７）は、高さを調整する手段（１６）を備えることを特徴とする請求項４記載のドレンパン（７）。
【発明の詳細な説明】
【０００１】
【発明の属する技術分野】
この発明は、住宅やビルなどに設置され、床と床下面との間に区画される床下空間を通して室内を空気調和する、空気調和システムに関する。
【０００２】
【従来の技術】
床と床下面との間に区画される床下空間を通して室内を空気調和する空気調和システムは公知である。この空気調和システムは、熱交換器により熱交換した空気を、床下空間を通して、床に複数個配置された吹出部分から自然放出する。
【０００３】
【発明が解決しようとする課題】
従来の吹出部分は、日常生活において生じる覆水や失禁などの場合に対して、何ら対策は講じられていない。よって、吹出グリルから水が入ったときは、水は床下にこぼれ、床下面に広がってしまう。
この発明は、かかる背景のもとでなされたもので、吹出部分から床下面への水の進入に対する配慮がなされた空気調和システムを提供することを目的とする。またこの発明は、通気口の閉塞が容易な空気調和システムを提供することを目的とする。
【０００４】
【課題を解決するための手段及び発明の効果】
請求項１記載の発明は、床と床下面との間に区画される床下空間を通して室内を空気調和する空気調和システムにおいて、床に形成される開口と、この開口に設けられ、床下空間と室内とを連通する通気口を形成する吹出グリルと、この吹出グリルの下方に設けられたドレンパンと、上記通気口を閉じることのできる通気口閉塞手段とを備え、上記ドレンパンが通気口閉塞手段を兼用し、上記ドレンパンは正立及び倒立から択一的に選択される状態で床下面に載置され、正立状態で通気口を開放し、倒立状態で通気口を閉塞することを特徴とする空気調和システムである。
【０００６】
請求項２記載の発明は、床と床下面との間に区画される床下空間を通して室内を空気調和する空気調和システムにおいて、床に形成される開口と、この開口に設けられ、床下空間と室内とを連通する通気口を形成する吹出グリルと、この吹出グリルの下方に設けられたドレンパンと、上記通気口を閉じることのできる通気口閉塞手段とを備え、上記ドレンパンが通気口閉塞手段を兼用し、上記ドレンパンは、内部を上下の第１および第２ドレン空間に仕切る仕切り板を有し且つ床下面に正立及び倒立から択一的に選択される状態で載置される筒体からなり、この筒体の周面には、第２ドレン空間のみを筒体の外部に連通させる連通孔が形成されており、筒体は倒立状態で第１ドレン空間を仕切る筒体の部分および仕切り板によって通気口を閉塞し、正立状態で上記連通孔および第２ドレン空間を介して通気口と床下空間とを連通させることを特徴とする空気調和システムである。
【０００７】
請求項３記載の発明は、上記ドレンパンの高さを調整する手段を備える請求項２または３記載の空気調和システムである。
請求項４記載の発明は、内部を上下の第１および第２ドレン空間に仕切る仕切り板を有し且つ床下面に正立及び倒立から択一的に選択される状態で載置さ得る筒体からなり、この筒体の周面には、第２ドレン空間のみを筒体の外部に連通させる連通孔が形成されていることを特徴とするドレンパンである。
【０００８】
請求項５記載の発明は、上記ドレンパンは、高さを調整する手段を備えることを特徴とする請求項４記載のドレンパンである。
請求項１，２の構成によれば、吹出部分から進入した水を受け止めることができる。よって、水が床下面に広がらない。また、吹出グリルを取り外せばドレンパンは取り出すことができ、溜まった水を捨てたり、清掃したりするのが容易である。
【０００９】
また、吹出グリルから風を吹き出さないようにすることができる。例えば吹出グリルが複数あり、特定の吹出グリルを使用せず、その上にじゅうたん等を敷きたい場合に、この構成は便利である。
さらに、ドレンパンに２つの機能をもたせることができ、空気調和システムを安価で提供できる。
また、吹出グリルを取り外し、室内空間側からドレンパンの状態を変えることで、簡単に通気口を閉塞することができる。
【００１０】
請求項３の構成によれば、多様な床の高さに対応できる。
請求項４の構成によれば、状態を変えるだけで簡単に通気口を閉塞できるドレンパンを提供できる。
請求項５の構成によれば、多様な床の高さに対応できるドレンパンを提供できる。
【００１１】
【発明の実施の形態】
以下には、図面を参照して、この発明の実施形態について具体的に説明をする。
図１は、この発明の一実施形態にかかる空気調和システムを図解的に示す図である。
図１において、マンションの一室で空気調和システムが運転される場合を挙げる。空気調和機１は、室内の壁際に沿って配置されている。床１８は、床下面１９から一定の高さで張られており、床１８と床下面１９との間には床下空間５が形成されている。また、床１８には円形の吹出グリル６が複数個設置されている。
【００１２】
この実施形態では、吹出グリルの数は２個であるが、吹出グリル６から吹き出された空気が部屋全体に行き届く範囲なら例えば１個でもよい。また空気調和機１は床下面１９に設置されているが、床下空間５への通路を設けるようにし、床１８の上面に設置されてもよい。
空気調和機１が運転されると、エアフィルタ２が装着された吸込口から室内空間の空気が吸い込まれる。吸い込まれた空気は、エアフィルタ２により塵埃が除去された後、熱交換器３を通って加熱または冷却され、送風機４によって床１８と床下面１９との間に区画される床下空間５へと送られる。
【００１３】
床下空間５へ送られた空気は、吹出グリル６の下方に設置された、図示しないドレンパンの連通孔を通って、吹出グリル６から室内空間へ吹き出される。
図２は、吹出部分の構成を図解的に示す断面図であり、（ａ）はドレンパンが正立状態、（ｂ）はドレンパンが倒立状態を示す。床１８には、例えば平面円形の開口２０が形成されていて、室内空間側から吹出グリル６が嵌められている。また、吹出グリル６には多数の吹出口があけられている。また図示しないが、吹出グリル６の下面には、フィルタが張られていてもよい。このフィルタにより、床下空間５から室内空間へと空気が吹き出される際に、ごみや埃を捕獲することができる。この実施形態では、吹出グリル６は床１８の上面に対して凸状態に配置されているが、床１８の上面との凹凸がないように配置されてもよい。
【００１４】
吹出グリル６の下方には、ドレンパン７が設置されている。ドレンパン７は円筒型をしている。ドレンパン７の外径は、床面１８に形成された開口２０よりもやや小さい。よって、ドレンパン７を床下空間５から室内空間へ取り出すことができる。
この実施形態では、開口２０、吹出グリル６およびドレンパン７は、その平面形状がそれぞれ円形になっているが、例えば四角形や楕円形などの平面形状であってもよい。
【００１５】
図３は、正立状態のドレンパン７を斜め上方から見た斜視図である。図２および図３を参照して、ドレンパン７は、内部を上下の第１ドレン空間８および第２ドレン空間９に仕切る仕切り板１０を有した筒体１１である。この筒体１１の周面には、第２ドレン空間９のみを筒体１１の外部に連通させる連通孔１２が形成されている。上記連通孔１２は、仕切り板１０から所定寸法離れた第２ドレン空間９の開口端よりの周面に形成されている。これにより、連通孔１２が形成されていない筒体１１の周面と仕切り板１０とで区画された空間に、水を溜めることができる。
【００１６】
図２（ａ）のように、ドレンパン７が正立状態の場合、床下空間５へ送られた空気は、連通孔１２を通って第２ドレン空間９へ進入し、吹出グリル６から室内空間へ吹き出される。また、室内空間から吹出グリル６を通して水が浸入した場合は、第２ドレン空間９に水が溜まる。溜まった水は、室内空間から吹出グリル６を取り外し、ドレンパン７を取り出して捨てることができる。
図２（ｂ）のように、ドレンパン７が倒立状態の場合、正立状態の場合と同様に、連通孔１２を通って第２ドレン空間９に空気が進入するが、仕切り板１０に阻まれ、空気は吹出グリル６から吹き出されることはない。また、室内空間から吹出グリル６を通して水が浸入した場合は、第１ドレン空間８に水が溜まる。溜まった水は、室内空間から吹出グリル６を取りはずし、ドレンパン７を取り出して捨てることができる。
【００１７】
図４（ａ）、（ｂ）は、ドレンパン７の変形例を示す模式図である。ドレンパン７には、連通孔１２を閉鎖し、風を通さなくするような筒状のシャッター１５が、筒体１１の外周に嵌められていてもよい。筒体１１に嵌められたシャッター１５は、上下方向および回転方向に可動である。シャッター１５は、図４（ａ）の状態から回転させながら上方向に持ち上げると、図４（ｂ）のように筒体１１の上端で引っかかる仕組みになっている。こうすると、床下空間５から送られてきた空気は、シャッター１５に阻まれ、吹出グリル６から吹き出されることはない。
【００１８】
図５（ａ）、（ｂ）は、ドレンパンの高さを調節する手段の一例を図解的に示す断面図である。図５において、ドレンパン７の高さを調節できるような筒状の高さ調節部材１６が、ドレンパン７の外周に嵌められている。高さ調節部材１６には、例えば上下に３対の小穴が形成されている。筒体１１の周面には、１対の小穴が形成されている。高さ調節部材１６と筒体１１は、上記穴を通して、ピン１７により連結される。ピン１７を高さ調節部材１６に差し込む際に、どの穴に差し込むかによって高さを調節することができる。
【００１９】
また、高さを調節する手段は上記手段に限らず、ドレンパン７の下に板などの一定の厚みをもったものを敷くことで行ってもよい。
この発明は、以上の実施形態の内容に限定されるものではなく、請求項記載の範囲内において種々の変更が可能である。
【図面の簡単な説明】
【図１】この発明の一実施形態にかかる空気調和システムを図解的に示す図である。
【図２】吹出部分の構成を図解的に示す断面図である。
【図３】正立状態のドレンパンを斜め上方から見た斜視図である。
【図４】ドレンパンの変形例を示す模式図である。
【図５】ドレンパンの高さを調節する手段の一例を図解的に示す断面図である。
【符号の説明】
１    空気調和機
５    床下空間
６    吹出グリル
７    ドレンパン
８    第１ドレン空間
９    第２ドレン空間
１０  仕切り板
１１  筒体
１２  連通孔
１５  シャッター
１６  高さ調節部材
１７  ピン
１８  床
１９  床下面
２０  開口
【図１】
0003578206.tif 000002
【図２】
0003578206.tif 000003
【図３】
0003578206.tif 000004
【図４】
0003578206.tif 000005
【図５】
0003578206.tif 000006